(57)【特許請求の範囲】
【請求項１】
複数の電池セル（２１）を、互いの側面同士を対向させる位置となりかつ前記各電池セルの電極（２３）をいずれも同じ側に並べた状態で積層配置して構成される組電池（１２）と、
前記組電池において前記各電池セルの電極が並設される一面側である電極面側に設けられ、隣り合う電池セルの電極同士における電気的な接続により各電池セルを直列接続する電極接続部材（３０）と、
前記電池セルごとの状態を監視するセル監視基板（６０）と、
前記セル監視基板に電気的に接続され、該セル監視基板から出力される監視信号が入力される制御ユニット（７０）と、
を備え、
前記セル監視基板と前記制御ユニットとは、前記組電池の前記電極面側にて、前記複数の電池セルの積層方向に並び、かつ前記電極接続部材に横並びとなる位置に設けられ、
前記組電池の前記電極面側には、前記複数の電池セルを一体に結合するために用いられる突起部（２６ａ，２６ｂ）が設けられており、
前記突起部により前記セル監視基板と前記制御ユニットとがそれぞれ支持されており、
前記セル監視基板及び前記制御ユニットは、ワイヤハーネス（６６）を介して互いに電気的に接続されるものであり、
前記セル監視基板及び前記制御ユニットに設けられる第１コネクタ（６３，６４，７３，７４）に対して、前記ワイヤハーネスに設けられる第２コネクタ（６７）が着脱可能であり、
前記セル監視基板及び前記制御ユニットは、前記組電池に対向させて配置される基板部材（６１，７１）と、その基板部材の一方の面に実装される電子部品（６２，７２）と前記第１コネクタを有し、
前記基板部材は、前記電子部品と前記第１コネクタの実装面が前記電池セル側になるようにして突起部の上部にて支持されていることを特徴とする組電池ユニット。
【請求項２】
前記電池セルは、矩形状をなす端面部（２１ａ）を有し、その端面部において長手方向の両端部に一対の電極（２３ａ，２３ｂ）がそれぞれ設けられており、
前記電極接続部材は、隣り合う電池セルの電極同士を電気的に接続するバスバー（３２）と、複数の前記バスバーが一列に並べて取り付けられるバスバーケース（３１ａ）とを有するバスバーユニット（３０）であり、前記バスバーユニットが、前記電池セルの前記端面部における両端部にそれぞれ設けられており、
前記バスバーユニットの間に前記セル監視基板と前記制御ユニットとが設けられている請求項１に記載の組電池ユニット。
【請求項３】
前記組電池の前記電極面側には、２つの前記セル監視基板の間に挟まれる位置に前記制御ユニットが配置されている請求項１又は２に記載の組電池ユニット。
【請求項４】
複数の電池セル（２１）を、互いの側面同士を対向させる位置となりかつ前記各電池セルの電極（２３）をいずれも同じ側に並べた状態で積層配置して構成される組電池（１２）と、
前記組電池において前記各電池セルの電極が並設される一面側である電極面側に設けられ、隣り合う電池セルの電極同士における電気的な接続により各電池セルを直列接続する電極接続部材（３０）と、
前記電池セルごとの状態を監視するセル監視基板（６０）と、
前記セル監視基板に電気的に接続され、該セル監視基板から出力される監視信号が入力される制御ユニット（７０）と、
を備え、
前記セル監視基板と前記制御ユニットとは、前記組電池の前記電極面側にて、前記複数の電池セルの積層方向に並び、かつ前記電極接続部材に横並びとなる位置に設けられており、
前記セル監視基板及び前記制御ユニットは、ワイヤハーネス（６６）を介して互いに電気的に接続されるものであり、
前記セル監視基板及び前記制御ユニットに設けられる第１コネクタ（６３，６４，７３，７４）に対して、前記ワイヤハーネスに設けられる第２コネクタ（６７）が着脱可能であり、
前記第１コネクタは、前記第２コネクタの着脱方向が前記複数の電池セルの積層方向となる向きで設けられており、
前記組電池の前記電極面側には、前記複数の電池セルを一体に結合するために用いられる一対の突起部が、前記複数の電池セルの積層方向に延びるように設けられており、
前記セル監視基板と前記制御ユニットは前記一対の突起部の間に設けられており、
前記セル監視基板及び前記制御ユニットは、前記組電池に対向させて配置される基板部材（６１，７１）と、その基板部材の一方の面に実装される電子部品（６２，７２）と前記第１コネクタを有し、
前記基板部材は、前記電子部品と前記第１コネクタの実装面が前記電池セル側になるようにして突起部の上部にて支持されていることを特徴とする組電池ユニット。
【請求項５】
前記セル監視基板及び前記制御ユニットは互いに離間した状態で配置され、その離間部分では、前記セル監視基板側の第１コネクタの接続口と、前記制御ユニット側の第１コネクタの接続口とが互いに対向しており、
前記離間部分のスペースを用いて、前記第１コネクタに対する前記第２コネクタの着脱が可能となっている請求項１乃至４のいずれか１項に記載の組電池ユニット。
【請求項６】
前記セル監視基板には、前記第１コネクタとして、前記電池セルの積層方向における両端部のうち一方に、前記組電池に電気的に接続される電池用コネクタ（６３）が設けられ、他方に、自基板以外の他基板に電気的に接続される他基板用コネクタ（６４）が設けられている請求項１乃至５のいずれか１つに記載の組電池ユニット。
【請求項７】
前記制御ユニットには、前記第１コネクタとして、前記電池セルの積層方向における両端部のうち一方に、電池以外の機器に電気的に接続される他機器用コネクタ（７３）が設けられ、他方に、前記セル監視基板に電気的に接続される別基板用コネクタ（７４）が設けられている請求項１乃至６のいずれか１つに記載の組電池ユニット。
【発明の詳細な説明】
【技術分野】
【０００１】
本発明は、複数の電池セルが積層された組電池を備える組電池ユニットに関する。
【背景技術】
【０００２】
車両等に設置される組電池ユニットは、複数の電池セルから構成される組電池と、温度や電圧等の物理状態を組電池ごとに監視するセル監視基板とが一体化されて構成されている。また、セル監視基板において検出された電圧や温度は制御ユニットに対して出力される。この制御ユニットは、各電池セルの電圧や温度に基づいて組電池の状態を制御するものであり、車両においては車載の別のＥＣＵとの間で相互に通信可能となっている。また、この種の組電池ユニットでは、組電池に制御ユニットを一体化することが検討されており、かかる技術として特許文献１に開示されたものが知られている。
【０００３】
具体的には、組電池ユニットは、複数の電池セルを積層配置して構成される電池モジュール（組電池）と、その電池モジュールにおける各電池セルの電極端子をそれぞれ接続するためのバスバーを有するバスバーモジュールと、バスバーモジュールに対して接続される電池状態通知ユニット（セル監視基板）とを有している。そして、電池モジュールにおいて各電池セルの電極が設けられる一面側にバスバーモジュールが組み付けられている。この場合、電池モジュールの電極面側とバスバーモジュールとはその平面視の大きさが略同じになっており、バスバーモジュールのバスバー（電極同士の接続用のバスバー）の上方に電極端子が突出している。また、各電池セルの電極に対してバスバー（基板接続用のバスバー）を介して電池状態通知ユニットが電気的に接続されるようになっている。またさらに、電池モジュールにはその側面部に電池状態監視ユニット（制御ユニット）が取り付けられている。
【先行技術文献】
【特許文献】
【０００４】
【特許文献１】特開２０１３−３０３１２号公報
【発明の概要】
【発明が解決しようとする課題】
【０００５】
しかしながら、上記の従来構成では、電池モジュールにおいて電池状態通知ユニットと電池状態監視ユニットとが各々異なる面に設けられており、電池モジュール自体の小型化を図る上で支障となるものになっていた。また、電池状態監視ユニットを電池モジュールの側面配置とした構成では、その電池モジュールの近傍に他の機器（別の電池モジュールを含む）が設けられる場合に、電池状態監視ユニットが省スペース化を図る上での妨げになると考えられる。
【０００６】
本発明は、小型化を図り、ひいては省スペース化を図る上で有利な構成を実現することができる組電池ユニットを提供することを目的とするものである。
【課題を解決するための手段】
【０００７】
本発明では、複数の電池セルを、互いの側面同士を対向させかつ各電池セルの電極をいずれも同じ側に並べた状態で積層配置して構成される組電池と、組電池において各電池セルの電極が並設される一面側である電極面側に設けられ、隣り合う電池セルの電極同士における電気的な接続により各電池セルを直列接続する電極接続部材と、電池セルごとの状態を監視するセル監視基板と、セル監視基板に電気的に接続され、セル監視基板から出力される監視信号が入力される制御ユニットと、を備え、セル監視基板と制御ユニットとは、組電池の電極面側にて、複数の電池セルの積層方向に並び、かつ電極接続部材に横並びとなる位置に設けられていることを特徴とする。
【０００８】
上記発明において、複数の電池セルが積層配置されてなる組電池では、その積層方向に各電池セルの電極が列状に並んだ状態となり、隣り合う電池セルの電極同士が電極接続部材により電気的に接続されている。そして、電極接続部材に横並びとなる位置にセル監視基板と制御ユニットとがそれぞれ設けられることで、電極接続部材の側方の空きスペースを上手く利用して、セル監視基板及び制御ユニットの好適なる配置を実現できる。つまりこの場合、組電池の一面側には電極接続部材が突出した状態で設けられ、その電極接続部材の側方にセル監視基板と制御ユニットとを配置することで、組電池ユニットの全体として外方への過剰な出っ張りを抑制しつつ、組電池ユニットの小型化が可能となる。また、セル監視基板と制御ユニットとが組電池の一面側に集約配置されるため、ユニット側方への張出が生じにくく、複数の組電池ユニットを用いて蓄電装置を構築する場合や他の機器を近接配置する場合において好都合となる。つまり、省スペース化を図る上で有利な構成を実現できる。
【図面の簡単な説明】
【０００９】
【図１】組電池ユニットの斜視図。
【図２】組電池ユニットの上面図。
【図３】組電池ユニットの上面の拡大図。
【図４】電池セルの構成の説明図。
【図５】各基板及びコネクタの配置関係の説明図。
【図６】各基板の接続状態の説明図。
【発明を実施するための形態】
【００１０】
以下、本発明を具体化した一実施形態を図面に基づいて説明する。図１は組電池ユニット１０の構成を示す斜視図である。図２は組電池ユニット１０を上面から見た平面図である。図３は、図２の組電池ユニット１０の上面図の一部を拡大した図である。図４は組電池ユニット１０の３−３線断面図である。
【００１１】
組電池ユニット１０は大別して、複数の単電池（電池セル２１）から構成される組電池２０と、組電池２０を構成する複数の電池セル２１を電気的に接続する電極接続部材（バスバーユニット３０）と、電池セル２１の状態を監視するセル監視基板６０と、セル監視基板６０からの信号が入力される制御ユニット７０と、を備えている。このような組電池ユニット１０は、組電池２０が下側、バスバーユニット３０、セル監視基板６０及び制御ユニット７０が上側となるように互いに上下に対向配置されている。
【００１２】
＜電池セル２１＞
図４において、電池セル２１は、収容ケース２５に収容されて設けられ、一対の電極端子２３（正極端子２３ａと負極端子２３ｂ）を備えている。電池セル２１は薄型の直方体形状をしており、電池セル２１を積層する際に互いに対向する側面部と、側面部に直交する矩形状の端面部を有して構成されている。
【００１３】
電極端子２３は、上側の端面部（以下、電極面２１ａとする）の長手方向の両端部に設けられた正極端子２３ａと負極端子２３ｂを有している。電極端子２３は、金属等の導電性材料で形成された柱状の部材であり、電池セル２１が収容ケース２５に収容された状態で、収容ケース２５の外側に突出される長さに形成されている。
【００１４】
収容ケース２５は、樹脂などの絶縁材料を用いて電池セル２１の外周全体を覆う形状に形成されている。また、収容ケース２５の電極面２１ａ側には、収容ケース２５と同材料で形成された凸状の部位であって、複数の電池セル２１を一体に結合するための突起部２６ａ，２６ｂが設けられている。ここでは突起部２６ａ，２６ｂは互いに離間した位置であって、かつ一対の電極端子２３の内側の位置に設けられている。具体的には突起部２６ａは正極端子２３ａに隣接する位置に設けられ、突起部２６ｂは負極端子２３ｂに隣接する位置に設けられている。
【００１５】
＜組電池２０＞
組電池２０は、複数の電池セル２１が積層されて構成される。この際、隣り合う電池セル２１は互いの側面が対向されるとともに、正極端子２３ａおよび負極端子２３ｂがいずれも同じ側（上面側）に並べられた状態で積層配置される。なお電極面２１ａの端部の同じ側には正極端子２３ａと負極端子２３ｂとが交互に配列されるように電池セル２１が積層される。このように組電池２０上に連続して並べられた電極端子２３は、後述するバスバーユニット３０で電気的に接続される。
【００１６】
また電池セル２１が積層される際、突起部２６ａ，２６ｂも電極端子２３の列に隣り合うように並べられる。
【００１７】
なお本実施形態では、組電池２０の電極面２１ａの側に設けられた一対の突起部２６ａ，２６ｂによって、組電池２０の電極面２１ａ側に空きスペースが形成されている。この空きスペースには後述する各種の基板や配線などが配置される。
【００１８】
＜バスバーユニット３０＞
図２および図３において、バスバーユニット３０は、隣り合う電池セル２１の電極端子２３を電気的に接続するバスバー３２と、複数のバスバー３２が一列に並べて取り付けられるとともにバスバー３２を介して接続された電極端子２３から延びる配線６６ａが集約されるバスバーケース３１と、を備えて構成されている。
【００１９】
バスバー３２は、略長方形状の板状の部材であり、導電性の金属等で形成されている。バスバー３２の長手方向の両端には、電極端子２３を挿通させる一対の貫通孔（図番号略）が形成されている。バスバー３２の貫通孔に、隣り合う電池セル２１の正極端子２３ａと負極端子２３ｂとが挿通されることで、隣り合う電池セル２１が電気的に直列接続される。
【００２０】
バスバーケース３１は、組電池２０の長さ（積層された電池セル２１の厚み方向の長さ）と同じ長さを有する略直方体形状の部材であり、バスバー３２を収容する収容部３１ａと、配線６６ａを収容する配線収容部３１ｂとを有している。バスバーケース３１は、収容部３１ａを内側、配線収容部３１ｂを外側として組電池２０に取り付けられる。なお配線収容部３１ｂと収容部３１ａとの間には図示を略す開口が設けられており、バスバーケース３１に配置された電極端子２３から延びる配線６６ａが配線収容部３１ｂ側に集約されるようにしている。
【００２１】
以上の構成のバスバーユニット３０は、組電池２０の両端に設けられた電極端子２３の列の各々に取り付けられる。この際、バスバーケース３１内に並べられたバスバー３２によって、同列の隣り合う電池セル２１の電極端子２３が接続される。また各バスバーケース３１から延びる配線が、配線収容部３１ｂに集約されて、絶縁材料等で一体化される。
【００２２】
このように、バスバーユニット３０を用いる構成の場合、積層配置した状態の複数の電池セル２１に対して、バスバー３２がまとめて接続される。またこの構成においては、バスバーユニット３０が組電池２０の一面側に突出した状態で設けられており、これにより一対のバスバーユニット３０の間（側方）にスペースが形成される。なお本実施形態では、バスバーユニット３０の内側に、突起部２６ａ，２６ｂにより挟まれてなる空間が形成されている。
【００２３】
＜セル監視基板６０＞
図５は組電池ユニット１０に配されるセル監視基板６０および制御ユニット７０を示す平面図である。図５において、セル監視基板６０は、基板部材６１と、電子部品６２と、コネクタ６３，６４とを備えて構成されている。電子部品６２は、電圧検出回路やマルチプレクサ等であり、基板部材６１の一方の面に実装されている。コネクタ６３，６４は、組電池２０に電気的に接続される電池用コネクタ６３および他基板用コネクタ６４であり、これらコネクタ６３，６４は、基板部材６１の電子部品６２が実装された側の面に実装されている。
【００２４】
各コネクタ６３，６４が、基板部材６１の両端部に各々配置される場合、基板部材６１の拡張を要することなく、基板部材６１上での各コネクタ６３，６４の好適な配置を実現できる。特に、電池用コネクタ６３はセル電圧の検出に用いる電圧検出用コネクタでもあるため、コネクタサイズが大きくなりがちであるが、こうして比較的大きいコネクタを表面実装する場合にも好適である。なお本実施形態ではコネクタとして、表面実装型のコネクタ（ＳＭＤコネクタ）が用いられているとする。
【００２５】
図６はセル監視基板６０および制御ユニット７０の接続状態の説明図である。図６に示されるように、コネクタは、実装部分（例えばメスコネクタ）と、非実装部分（例えばオスコネクタ）との組み合わせで構成されており、基板側に設けられた実装部分に対して、ワイヤハーネス等の配線６６に設けられた非接続部分のコネクタ６７が、着脱可能となるように構成されている。なお本実施形態では、各基板を電気的に接続する配線６６の両端部にコネクタ６７が設けられているとする。
【００２６】
なお、セル監視基板６０は所定の単位数の電池セル２１の状態を監視するものである。その為、セル監視基板６０は、組電池２０を構成する電池セル２１の個数に応じて複数設置される。本実施形態では２つのセル監視基板６０が用いられるとする。
【００２７】
＜制御ユニット７０＞
制御ユニット７０は、基板部材７１と、電子部品７２と、コネクタ７３，７４とを備えて構成されている。電子部品７２はＣＰＵやパワー素子等であり、基板部材７１の一方の面に実装されている。コネクタ７３，７４は、セル監視基板６０に電気的に接続される別基板用コネクタ７３と、組電池２０以外の機器に電気的に接続される他基板用コネクタ７４とを備えている。これらコネクタ７３，７４は、基板部材７１の電子部品７２が実装された側の面に実装されている。
【００２８】
コネクタ７３，７４は、基板部材７１の長手方向の両端のそれぞれに配置されている。制御ユニット７０においても、各コネクタ７３，７４が、基板部材７１上の両端部に配置されるように構成することで、基板部材７１の拡張を要することなく、各コネクタ７３，７４の好適な配置を実現できる。なお各コネクタ７３，７４も表面実装型のコネクタで実現されているとする。
【００２９】
以上の構成のセル監視基板６０と制御ユニット７０とは、上述した各コネクタが並ぶ方向が組電池２０の長手方向となるように配置される。この際、セル監視基板６０と制御ユニット７０とは、一対のバスバーユニット３０の間であって、電極面２１ａ側に設けられた突起部２６ａ，２６ｂの上部で支持される（図４参照）。この際、各基板部材６１，７１において、各電子部品及び各コネクタが実装された側の面が電池セル２１側に向くように取り付けられる。これにより突起部２６ａ，２６ｂによって、電極面２１ａ上に設けられた空きスペースにコネクタ等の背高部品が配置される。
【００３０】
このように組電池２０がその外側に一対の突起部２６ａ，２６ｂを有する構成では、その一対の突起部２６ａ，２６ｂの間の空きスペースに、基板部材６１，７１の実装面が下向きに配置されることで、突起部２６ａ，２６ｂの間の空きスペースが上手く利用されて、コネクタ等の背高部品を好適に配置される。これにより組電池ユニット１０が設けられる電池スペースにおいてデッドスペースの削減が可能となる。
【００３１】
なお本実施形態では、２つのセル監視基板６０が搭載される例を示している。この場合、制御ユニット７０は、２つのセル監視基板６０の間に挟まれる位置にとなるように電極面２１ａ上に配置される。１つの制御ユニット７０に対して複数のセル監視基板６０が接続される場合、セル監視基板６０の間に制御ユニット７０が設けられる構成とすることで、セル監視基板６０と制御ユニット７０間での配線６６による電気的な接続をより好適に行える。
【００３２】
また、隣り合うセル監視基板６０と制御ユニット７０とは、互いに離間した状態で配置されるようにする。この際、セル監視基板６０に設けられた他基板用コネクタ６４の接続口と、制御ユニット７０に設けられた別基板用コネクタ７３の接続口とが互いに対向するように配置する。セル監視基板６０と制御ユニット７０とを離間して配置する場合、その離間スペースを配線６６の着脱スペースとして利用できる。これにより、隣り合う基板同士の実装部分のコネクタの各々を互いに近い位置に配置しつつも、それぞれにおけるコネクタの着脱作業を好適に実施できる。
【００３３】
図５に示されるように、セル監視基板６０と制御ユニット７０とが組電池２０上に配置された状態で、セル監視基板６０および制御ユニット７０が有する各コネクタが、配線６６のコネクタ６７に接続される。つまり図６に示されるように、セル監視基板６０の他基板用コネクタ６４に対して配線６６のコネクタ６７が接続され、その配線６６の他端に設けられたコネクタ６７が、制御ユニット７０の別基板用コネクタ７３に接続される。この際、本実施形態では２つのセル監視基板６０が設けられている為、この場合、各セル監視基板６０の他基板用コネクタ６４に接続された配線６６の他端に設けられたコネクタ６７が、別基板用コネクタ７３に接続される。
【００３４】
なお本実施形態ではワイヤハーネスを用いてセル監視基板６０および制御ユニット７０を電気的に接続している。ワイヤハーネスは屈曲自在性を有しているため、基板が配置された残りの空間内に自在に配置される。その為、配線を配置するために新たな空間を設ける必要がなく、突起部２６ａ，２６ｂの空間が有効に活用され、省スペース化を図る上で有利な構成が実現されている。
【００３５】
なお電池用コネクタ６３および組電池２０も同様にコネクタ６７及び配線６６を介して電気的に接続される。他基板用コネクタ７４も車両側のＥＣＵ等とコネクタ６７及び配線６６を介して電気的に接続される。
【００３６】
このように、セル監視基板６０及び制御ユニット７０が配線６６及びコネクタ６７を介して互いに電気的に接続される構成の場合、配線６６（ワイヤハーネス）の屈曲自在性を利用して、セル監視基板６０及び制御ユニット７０の配置の状態に制約されず、これら両者の電気的な接続を好適に実施できる。例えば各電池セル２１とセル監視基板６０とをバスバー３２で電気的に接続した構成（従来構成）と比較すると、かかる構成では各電池セル２１の電極位置に依存してセル監視基板６０の大きさが定められるのに対し、配線６６としてワイヤハーネスを用いることにより各電池セル２１の電極位置に依存せずにセル監視基板６０の大きさを定めることができる。これにより、セル監視基板６０の小型化が実現でき、その小型化により、組電池２０の電極面２１ａ側で、セル監視基板６０と制御ユニット７０との両方を配置するスペースを確保できることとなる。
【００３７】
また、第１コネクタ（基板側コネクタ）は、第２コネクタ（ハーネス側コネクタ）の着脱方向がセル積層方向となる向きで設けられているため、コネクタ着脱のための作業空間が確保されやすく、コネクタ着脱作業を行う上で好適である。
【００３８】
以上に示されるように、組電池ユニット１０の全体として側方への過剰な出っ張りを抑制しつつ、組電池ユニット１０の小型化が可能となる。また、セル監視基板６０と制御ユニット７０とが組電池２０の一面側に集約配置されることで、ユニット側方への張出が生じにくく、複数の組電池ユニット１０を用いて蓄電装置を構築する場合や他の機器を近接配置する場合において好都合となる。つまり、省スペース化を図る上で有利な構成を実現できる。
【００３９】
上記によれば以下の優れた効果を得られる。
【００４０】
（１）バスバーユニット３０に横並びとなる位置にセル監視基板６０と制御ユニット７０とがそれぞれ設けられることで、バスバーユニット３０の側方の空きスペースを上手く利用して、セル監視基板６０及び制御ユニット７０の好適なる配置を実現できる。つまりこの場合、組電池ユニット１０の全体として外方への過剰な出っ張りを抑制しつつ、組電池ユニット１０の小型化が可能となる。また、セル監視基板６０と制御ユニット７０とが組電池２０の一面側（電極面２１ａ側）に集約配置されるため、組電池ユニット１０の側方への張出が生じにくく、複数の組電池ユニット１０を用いて蓄電装置を構築する場合や他の機器を近接配置する場合において好都合となる。つまり、省スペース化を図る上で有利な構成を実現できる。
【００４１】
（２）バスバーユニット３０を用いる構成では、積層配置した状態の複数の電池セル２１に対して、まとめてバスバー３２の接続を実施できる。またこの構成において、一対のバスバーユニット３０の間のスペースを基板設置スペースとして利用することで、上記のとおり組電池２０におけるコンパクト化を実現できる。
【００４２】
（３）組電池２０の外側に一対の突起部２６ａ，２６ｂを有する構成では、その一対の突起部２６ａ，２６ｂの間に空きスペースを形成できる。この場合、各基板のコネクタ等の実装面を下向きに配置することで、空きスペースを上手く利用して、コネクタ等の背高部品を好適に配置できる。
【００４３】
（４）組電池２０を構成する電池セル２１の数が多くなる場合、１つの組電池２０に対して複数のセル監視基板６０が設けられる。例えば、所定の単位数ごとにセル監視基板６０が設けられる場合、電池セル２１の数の増加に応じてセル監視基板６０が増設される。この場合、１つの制御ユニット７０に対して複数のセル監視基板６０が接続されることになる。この際、２つのセル監視基板６０の間に制御ユニット７０を設けることで、両者の間での電気的な接続を好適に行うことができる。
【００４４】
（５）セル監視基板６０及び制御ユニット７０を配線６６（ワイヤハーネス）を介して互いに電気的に接続する構成では、ワイヤハーネスの屈曲自在性を利用することにより、セル監視基板６０及び制御ユニット７０の配置の状態に制約されず、これら両者の電気的な接続を好適に実施できる。またワイヤハーネスを用いる場合、各電池セル２１の電極位置に依存せずにセル監視基板６０の大きさを定めることができる。これにより、セル監視基板６０の小型化が実現でき、その小型化により、組電池２０の同一面側で、セル監視基板６０と制御ユニット７０との両方を配置するスペースを確保することができる。
【００４５】
（６）セル監視基板６０と制御ユニット７０との間の離間スペースが、各基板に実装されたコネクタと、配線６６に設けられたコネクタ６７の着脱作業スペースとして利用できる。これにより、各基板に実装されたコネクタの各々を互いに近い位置に配置しつつも、それぞれにおけるコネクタ着脱作業を好適に実施できる。
【００４６】
（７）セル監視基板６０の上記の各コネクタを、電池セル２１の積層方向の両端部に各々配置したため、基板部材６１の拡張を要することなく各コネクタの好適な配置を実現できる。この場合特に、電池用コネクタ６３はセル電圧の検出に用いる電圧検出用コネクタでもあり、コネクタサイズが大きくなりがちであるが、こうして比較的大きいコネクタを表面実装する場合にも好適である。また、２つのコネクタを上下二段に設けた場合、下側のコネクタの抜き差しが困難になることが想定されるが、このような不都合の発生も回避できる。
【００４７】
（８）制御ユニット７０における上記コネクタを、電池セル２１の積層方向の両端部に各々配置したため、基板部材７１の拡張を要することなく各コネクタの好適な配置を実現できる。
【００４８】
本発明は上記実施形態の記載内容に限定されず、次のように実施されてもよい。
【００４９】
・突起部２６ａ、２６ｂが設けられていない構成の場合、バスバーユニット３０の側方に形成される空きスペースにセル監視基板６０と制御ユニット７０とが配置される。この場合にも組電池ユニット１０が設けられる電池スペースにおいてデッドスペースの削減が可能となる。
【００５０】
・突起部２６ａ，２６ｂは、バスバーユニット３０（電極端子２３）の外側の位置に設けられてもよい。この場合、電極面２１ａからの高さに応じて、バスバーユニット３０又は突起部２６ａ，２６ｂのいずれかを用いて各基板が支持される。
【００５１】
・上記では、各基板の実装面が組電池２０側（下側）に向くように、組電池２０上の空きスペースに各基板を搭載している。これ以外にも、上記の各基板の実装面が上側を向くように、組電池２０の空きスペース上に各基板が搭載されてもよい。例えば、組電池２０の電極面２１ａ側の空きスペース（高さ方向）が十分に確保される場合等には、各基板の実装面が上側を向くように搭載したとしても、組電池ユニット１０の高さを増大させることなく、省スペース化を図ることができる。また、組電池２０の電極面２１ａ側の空きスペースが確保される場合、上記各基板として、両面に電子部品６２，７２が実装されたものを搭載することができる。この場合、電極面２１ａ上の空きスペースが十分に確保される場合には、基板のいずれかの面が組電池２０側に向くように搭載できる。また、より高さを有する電子部品６２，７２が実装された側の面が組電池２０側に向けられるようにすることで、組電池２０上の空きスペースがより有効に活用されるようにしてもよい。
【符号の説明】
【００５２】
１０…組電池ユニット、２０…組電池、２１…電池セル、２１ａ…電極面、２３…電極端子、２３ａ…正極端子、２３ｂ…負極端子、２６ａ…突起部、２６ｂ…突起部、３０…バスバーユニット、３１…バスバーケース、３２…バスバー、６０…セル監視基板、６３…電池用コネクタ、６４…他基板用コネクタ、６６…配線、６７…コネクタ、７０…制御ユニット、７３…別基板用コネクタ、７４…他基板用コネクタ。
【図１】
0006044505.tif 000002
【図２】
0006044505.tif 000003
【図３】
0006044505.tif 000004
【図４】
0006044505.tif 000005
【図５】
0006044505.tif 000006
【図６】
0006044505.tif 000007